(57)【要約】【課題】  製造コストの増大を図り、見栄えの向上を図ることができる雨樋の接続部構造を提供する。【解決手段】  縦樋１１の縦樋接続部１７の周壁１７ａに、該周壁から立ち上がる円筒部２１を設ける。円筒部２１の内周面２１ａに、該内周面を廻り円筒部２１の先端２１ｂに開放する段部２２を形成する。段部２２内に、弾性変形可能な環状のシール部材２３を収容する。呼び樋１２が接続される接続管２４の挿入端２４ｂは、円筒部２１内に挿入される。挿入端２４ｂには、シール部材２３に当接するように段部２２内に受け入れられる張出部２５が形成されている。円筒部２１の先端部分２１ｃに、接続管２４の首振りを許す環状のキャップ部材２６を装着する。キャップ部材２６は、接続管２４の脱落を防止すべく張出部２５に係合可能なフランジ部２８を有する。【選択図】  図１
2006132285.tif 000002
【特許請求の範囲】
【請求項１】
縦樋と呼び樋とを接続する雨樋の接続部構造であって、前記縦樋の周壁に設けられ、前記縦樋の横方向外方へ立ち上がる円筒部と、該円筒部の内周面を廻り前記円筒部の先端に開放して形成された段部と、該段部内に該段部に沿って収容される弾性変形可能な環状のシール部材と、一端に前記呼び樋が嵌合される接続端を有し、他端に前記円筒部内に挿入される挿入端を有し、該挿入端に前記シール部材に当接すべく前記段部内に受け入れられる張出部が形成された接続管と、前記円筒部の前記先端部に装着され、前記接続管の脱落を防止すべく前記張出部に係合可能なフランジ部を有し、前記接続管の首振りを許す環状のキャップ部材とを備えることを特徴とする雨樋の接続部構造。
【発明の詳細な説明】
【技術分野】
【０００１】
本発明は、住宅のような建物に設けられる縦樋と呼び樋とを接続する雨樋の接続部構造に関する。
【背景技術】
【０００２】
一般的に、例えば住宅の軒先には、該軒先に沿って配置され、屋根から流れ落ちる雨水を受けるための軒樋が設けられている。屋根から流れ落ちて軒樋内に集められた雨水は、軒樋内から呼び樋を介して縦樋内に流入し、縦樋内を通って地上に流出する。これにより、屋根から流れ落ちる雨水を飛び散らせることなく地上に確実に案内することができる。
【０００３】
従来の雨樋における縦樋と呼び樋との接続には、固定した曲げ角度に形成されたＬ字状のエルボが用いられている（例えば、特許文献１乃至３参照。）。
【特許文献１】特開２０００−２１３１２３号（第２−５項、図１）
【特許文献２】実開平５−２４７３８号（第５−６項、図１）
【特許文献３】実開平５−２４７５６号（第５−７項、図１）
【発明の開示】
【発明が解決しようとする課題】
【０００４】
しかしながら、縦樋と呼び樋とを接続するエルボが固定した曲げ角度に形成されていることから、呼び樋の縦樋への接続角度すなわち縦樋の軸線と呼び樋の軸線とのなす角度を調節することができない。
【０００５】
このため、例えば建物の構造上、呼び樋を縦樋にエルボの曲げ角度と異なる角度で接続する必要がある場合、呼び樋を縦樋に所望の角度で接続するために角度の異なる複数のエルボを用意する必要があり、製造コストの増大を招いてしまう。また、縦樋と呼び樋との配置態様によっては、呼び樋を縦樋に所望の角度で接続するために複数のエルボを組み合わせる必要があり、製造コストの増大に加えて見栄えの悪化を招いてしまう。
【０００６】
本発明の目的は、製造コストの増大を図り、見栄えの向上を図ることができる雨樋の接続部構造を提供することにある。
【課題を解決するための手段】
【０００７】
上記課題を解決するために、本発明は、縦樋と呼び樋とを接続する雨樋の接続部構造であって、前記縦樋の周壁に設けられ、前記縦樋の横方向外方へ立ち上がる円筒部と、該円筒部の内周面を廻り前記円筒部の先端に開放して形成された段部と、該段部内に該段部に沿って収容される弾性変形可能な環状のシール部材と、一端に前記呼び樋が嵌合される接続端を有し、他端に前記円筒部内に挿入される挿入端を有し、該挿入端に前記シール部材に当接すべく前記段部内に受け入れられる張出部が形成された接続管と、前記円筒部の前記先端部に装着され、前記接続管の脱落を防止すべく前記張出部に係合可能なフランジ部を有し、前記接続管の首振りを許す環状のキャップ部材とを備えることを特徴とする。
【０００８】
上記の構成によれば、呼び樋が嵌合される接続管が縦樋の周壁に設けられた円筒部内に首振り可能に挿入されることから、呼び樋の縦樋への接続角度を接続管の首振り可能な範囲内で自由に調節することができる。これにより、呼び樋の縦樋への接続角度を自由に調節することができることから、呼び樋を縦樋に所望の角度で接続するために従来のような角度の異なる複数のエルボを用意することなく、また、複数のエルボを組み合わせることなく、適正な配管を可能とすることができる。従って、従来に比較して製造コストの削減
を確実に図ることができ、また、見栄えの向上を確実に図ることができる。
【０００９】
また、円筒部の段部内に配置されたシール部材が弾性変形可能であることから、接続管の首振り時に張出部から受ける押圧力によりシール部材が弾性変形するので、接続管は張出部がシール部材に当接した状態で首振りする。これにより、接続管の首振り時も円筒部と接続管との間がシール部材により確実にシールされるので、接続管の首振り時に円筒部と接続管との間から雨水が漏れることを確実に防止することができる。
【００１０】
更に、呼び樋の縦樋への接続角度を接続管の首振り可能な範囲内で自由に調節することができることから、呼び樋を縦樋に所望の角度で接続するために従来のように角度の異なる複数のエルボを用意し、また、複数のエルボを組み合わせることに比べ、施工性を確実に向上させることができる。
【発明の効果】
【００１１】
本発明によれば、呼び樋が嵌合される接続管が縦樋の周壁に設けられた円筒部内に枢動可能に挿入されることから、呼び樋の縦樋への接続角度を接続管の首振り可能な範囲内で自由に調節することができる。これにより、呼び樋の縦樋への接続角度を自由に調節することができることから、従来のような角度の異なる複数のエルボを用意し、また、複数のエルボを組み合わせることなく、適正な配管を可能とすることができる。従って、従来に比較して製造コストの削減を確実に図ることができ、又、見栄えの向上を確実に図ることができる。
【発明を実施するための最良の形態】
【００１２】
本発明を図示の実施例に沿って説明する。
【実施例】
【００１３】
図１は、住宅に設けられた雨樋１０の接続部構造１３に本発明を適用した例を示す。
【００１４】
本発明に係る雨樋１０は、住宅の図示しない軒先に沿って設けられ、屋根から流れ落ちてくる雨水を受ける図示しない軒樋と、雨水を地上に案内するための縦樋１１と、前記軒樋に図示しない一端が接続され、該軒樋から縦樋１１へ雨水を案内するための呼び樋１２とを備える。
【００１５】
屋根から流れ落ちて前記軒樋内に集められた雨水は、従来よく知られているように、該軒樋内から呼び樋１２を経て縦樋１１内に流入し、該縦樋内を通って地上の例えば排水口のような所定の箇所に流出する。
【００１６】
住宅の互いに直角な二つの外壁１４ａ，１４ｂにより規定される出隅部内には、上下方向に沿って伸びる柱１５が両外壁１４ａ，１４ｂとの間に間隔をおいて設けられている。図面の明瞭化のため、図１では、各外壁１４ａ，１４ｂは、それぞれ仮想線で示されている。
【００１７】
縦樋１１は、図示の例では、例えばポリ塩化ビニルのような樹脂材料で成形され、横断面がＬ字状をなした筒体からなり、両外壁１４ａ，１４ｂで規定される出隅部の一部を構成している。縦樋１１は、図示の例では、柱１５に沿って伸長する縦樋本体１６と、該縦樋本体の上端１６ａに接続される縦樋接続部１７とに分割されている。
【００１８】
縦樋接続部１７の下端には、縦樋本体１６の上端１６ａに嵌合可能な嵌合部１８が形成されている。縦樋接続部１７の筒体１７ａすなわち周壁１７ａのうち、一方の外壁１４ａに対向する壁体１９には、開口２０が形成されている。開口２０の縁部には、該縁部から
開口２０を取り巻いて縦樋接続部１７の横方向外方へ立ち上がり、一方の外壁１４ａを貫通する円筒部２１が設けられている。
【００１９】
円筒部２１は、図示の例では、縦樋接続部１７と一体に形成されている。円筒部２１の内周面２１ａには、図２に示すように、該内周面を廻り、円筒部２１の先端２１ｂに開放する段部２２が形成されている。段部２２内には、例えばゴムのように弾性変形可能な材料で形成された環状のシール部材２３が段部２２の底面２２ａに沿って収容されている。シール部材２３は、縦断面が矩形をなしており、段部２２の深さ方向に沿った厚さ寸法ｔが段部２２の深さ寸法よりも小さい。
【００２０】
呼び樋１２は、図１に示す例では、例えばポリ塩化ビニルのような樹脂材料で成形され、ほぼ矩形状の縦断面を有する筒体からなる。呼び樋１２は、従来よく知られているように、住宅の図示しない軒天井に沿って配置されており、前記軒樋から縦樋１１に雨水を流し易くするために前記軒樋と縦樋１１との配置態様に応じた傾斜が与えられている。前記一端が前記軒樋に接続される呼び樋１２の他端１２ａは、図１に示すように、呼び樋１２を縦樋１１に接続するための筒状の接続管２４に嵌合される。
【００２１】
本発明に係る接続管２４は、図１に示す例では、呼び樋１２と同様な樹脂材料で成形されており、一端２４ａに呼び樋１２の他端１２ａが嵌合される接続端２４ａを有し、他端２４ｂに縦樋接続部１７材の円筒部２１内に挿入される挿入端２４ｂを有する。接続管２４の挿入端２４ｂを含む一半は、円筒部２１に対応した縦断面を有する円筒部分２４ｃで構成されており、接続端２４ａを含む他半は、図示の例では、ほぼ矩形状の縦断面を有する筒部分２４ｄで構成されている。
【００２２】
挿入端２４ｂの外径は、縦樋接続部１７材の円筒部２１の内径よりも小さい。これにより、挿入端２４ｂは、円筒部２１内にあそびをもって受け入れられる。挿入端２４ｂには、接続管２４の円筒部分２４ｃの径方向外方へ張り出す張出部２５が形成されている。
【００２３】
張出部２５の先端面には、図２に示すように、傾斜が与えられており、これにより、張出部２５は、その先端２５ａに向けて先細るかえし部２５で構成されている。張出部２５すなわちかえし部２５ａは、図２に示すように、その先端２５ａが円筒部２１内への接続管２４の挿入状態でシール部材２３に当接するように円筒部２１の段部２２内に受け入れられる。かえし部２５の先端２５ａがシール部材２３に当接することにより、円筒部２１と接続管２４との間がシール部材２３によって封止される。かえし部２５が段部２２内に受け入れられた状態では、接続管２４は、シール部材２３の弾性変形により封止機構が保持された状態で、その軸線と円筒部２１の軸線とが交わる点を中心に首振りが許される。
【００２４】
縦樋接続部１７に設けられた円筒部２１の先端部分２１ｃには、図１及び図２に示すように、円筒部２１内に挿入された接続管２４の脱落を防止するためのキャップ部材２６が装着されている。キャップ部材２６は、円筒部２１の先端部分２１ｃに円筒部２１の外方から嵌合する環状の嵌合部２７と、該嵌合部の縁部から円筒部２１の先端２１ｂを覆うように円筒部２１の径方向内方へ向けて伸びる環状のフランジ部２８とを有する。嵌合部２７は、例えば図示しない接着剤やネジ部材を用いた締め付けにより円筒部２１の先端部分２１ｃに固定される。また、嵌合部２７を円筒部２１の先端部分２１ｃに直接ネジ嵌合することができる。
【００２５】
フランジ部２８は、図２に示すように、かえし部２５に係合可能に円筒部２１の内方へシール部材２３を超えて突出しており、接続管２４の首振りを許すように該接続管の円筒部分２４ｃの外周面２４ｅとの間に間隔をおいて形成されている。フランジ部２８の内径は、接続管２４の円筒部２５内への挿入時に、かえし部２５の弾性変形による挿入を許す
大きさに設定されている。
【００２６】
従って、かえし部２５が円筒部２１の段部２２内に受け入れられた状態でフランジ部２８に円筒部２１の内方から係合することにより、接続管２４の円筒部２１内からの脱落が確実に防止される。
【００２７】
また、フランジ部２８と接続管２４の円筒部分２４ｃの外周面２４ｅとの間に間隔がおかれていることから、接続管２４は円筒部分２４ｃの外周面２４ｅとフランジ部２８とが当接する範囲で首振り可能となる。
【００２８】
本発明に係る雨樋１０の接続部構造１３では、呼び樋１２を縦樋１１に接続するとき、縦樋接続部１７の嵌合部１８を縦樋本体１６の上端１６ａに嵌合させ、縦樋接続部１７の円筒部２１の段部２２内にシール部材２３を収容し、円筒部２１の先端部分２１ｃにキャップ部材２６を装着する。  
【００２９】
次に、接続管２４のかえし部２５をキャップ部材２６のフランジ部２８に当接させ、接続管２４を円筒部２１内へ向けて押し込む。このとき、かえし部２５は、前記したように、合成樹脂で先細り状に形成されていることから、円筒部２１内への接続管２５の押込み時に撓み易いので、接続管２４を円筒部２１内に容易に挿入することができる。この円筒部２１内への接続管２４の挿入により、かえし部２５は、シール部材２３が収容された段部２２の側面２２ｂとフランジ部２８との間でその円筒部２１の軸線に沿った運動が規制される。接続管２４の円筒部２１内への挿入をより容易に行うために、接続管２４の円筒部分２４ｃに接続管２４の軸線に沿い、挿入端２４ｂに開放する割り溝を形成することができる。
【００３０】
その後、円筒部２１内に挿入された接続管２４の接続端２４ａに、呼び樋１２の他端１２ａを呼び樋１２の軸線と接続管２４の軸線とを互いに一致させて嵌合する。この嵌合により、呼び樋１２は接続管２４を介して縦樋１１に接続される。接続管２４は、前記したように、円筒部分２４ｃの外周面２４ｅとフランジ部２８とが当接する範囲で首振り可能であることから、接続管２４に嵌合された呼び樋１２の縦樋１１への接続角度すなわち呼び樋１２の軸線と縦樋１１の軸線とのなす角度を接続管２４の首振り可能な範囲内で自由に調節することができる。これにより、呼び樋１２を前記軒樋及び縦樋１１の配置態様に応じて前記軒樋及び縦樋１１のそれぞれに確実に接続することができ、前記軒樋からの雨水を縦樋１１へ適正に案内することができる。
【００３１】
本実施例によれば、前記したように、呼び樋１２の縦樋１１への接続角度が縦樋１１と前記軒樋との配置態様に応じて自由に調節可能であることから、呼び樋１２を縦樋１１に所望の角度で接続するために従来のような角度の異なる複数のエルボを用意することなく、また、複数のエルボを組み合わせることなく、適正な配管を可能とすることができる。従って、角度の異なる複数のエルボを用意し、また、複数のエルボを組み合わせることによる従来のような製造コストの増大及び見栄えの悪化を確実に防止することができる。
【００３２】
また、前記したように、接続管２４は張出部２５がシール部材２３に当接した状態で首振りすることから、接続管２４の首振り時も円筒部２１と接続管２４との間がシール部材２３により確実にシールされるので、接続管２４の首振り時に円筒部２１と接続管２４との間から雨水が漏れることを確実に防止することができる。
【００３３】
更に、呼び樋１２の縦樋１１への接続角度を接続管２４の首振り可能な範囲内で自由に調節することができることから、呼び樋１２を縦樋１１に所望の角度で接続するために従来のように角度の異なる複数のエルボを用意し、また、複数のエルボを組み合わせること
に比べ、施工性を確実に向上させることができる。
【００３４】
本実施例では、縦樋１１が縦樋本体１６と縦樋接続部１７とを有する例を示したが、これに代えて、縦樋本体１６と縦樋接続部１７とが一体に形成された縦樋を用いることができる。
【００３５】
また、本実施例では、外壁１４ａ，１４ｂで規定される出隅部の一部を構成するように配置された縦樋１１に本発明を適用した例を示したが、これに代えて、住宅の外壁１４ａ，１４ｂ内に配置された縦樋１１に本発明を適用することができる。
【００３６】
更に、住宅に設けられた雨樋１０に本発明を適用した例を示したが、これに代えて、住宅以外の建物に設けられた雨樋１０に本発明を適用することができる。
【図面の簡単な説明】
【００３７】
【図１】本発明に係る雨樋の接続部構造を概略的に示す分解斜視図である。
【図２】図１のI−I線に沿った縦断面図である。
【符号の説明】
【００３８】
１１  縦樋
１２  呼び樋
１０  雨樋
１３  接続部構造
１７ａ  周壁
２１  円筒部
２１ａ  内周面
２１ｂ  先端
２２  段部
２３  シール部材
２４ａ  一端（接続端）
２４ｂ  他端（挿入端）
２５  張出部（かえし部）
２４  接続管
２８  フランジ部
２６  キャップ部材
【図１】
2006132285.tif 000003
【図２】
2006132285.tif 000004